(57)【要約】【課題】コロナ放電の発生を抑制可能な融雪リングを提供する。【解決手段】融雪リング１０は、電線３０の外周面との間に断熱層１２，１２を挟んで嵌合される強磁性体からなるリング１１を備え、断熱層１２，１２の幅ｘは、リング１１の幅Ｘのよりも大きい。【選択図】図５
2015008616.tif 000002
【特許請求の範囲】
【請求項１】
電線の外周面との間に断熱層を挟んで嵌合される強磁性体からなるリングを備え、前記断熱層の幅は、前記リングの幅よりも大きいことを特徴とする融雪リング。
【請求項２】
前記断熱層の幅は、前記リングの幅の２倍以上であることを特徴とする請求項１記載の融雪リング。
【請求項３】
前記断熱層は、前記リングの幅方向の側面部を、前記リングの高さの半分以上の高さまで覆うことを特徴とする請求項１記載の融雪リング。
【請求項４】
前記リングは、その内周部が、前記断熱層の外周部に形成された溝に係合して前記断熱層を挟むことを特徴とする請求項１から３のいずれかに記載の融雪リング。
【請求項５】
前記断熱層は、導電材料で構成されることを特徴とする請求項１から４のいずれかに記載の融雪リング。
【請求項６】
前記断熱層は樹脂材料で構成され、当該断熱層の外周部側の幅方向の角部は、金属製の前記リングの外周部側の幅方向の角部よりも曲率が小さい曲面状に形成されていることを特徴とする請求項１から５のいずれかに記載の融雪リング。
【請求項７】
圧縮加工によりリング形状に成型可能な強磁性体からなるリング部材と、リング形状とされた場合に内側となる面に装着された断熱部材とを有し、前記断熱部材の幅が前記リング部材の幅よりも大きいことを特徴とする電線取り付け用リング。
【発明の詳細な説明】
【技術分野】
【０００１】
本発明は、融雪リング、及び、電線取り付け用リングに関する。
【背景技術】
【０００２】
従来、電線に取り付けられる磁性体の融雪リングが知られている（例えば、特許文献１参照）。特許文献１の融雪リングによれば、電線に付着した雪を分断して落雪のサイズを小さくでき、落雪被害を防止できる。この融雪リングは、電線の電流によって生じる磁界の変化で発熱し、融雪リング上の雪を溶かすことで雪を分断させる。
【先行技術文献】
【特許文献】
【０００３】
【特許文献１】特開２００８−２１４８３号公報
【発明の概要】
【発明が解決しようとする課題】
【０００４】
上記従来の融雪リングは、電線の表面から突出する構造となる。このため、融雪リングに沿って等電位線が歪曲し、等電位線が密集することで電位傾度が大きくなり、融雪リングの周辺でコロナ放電が生じ易くなる。
本発明は、上述した事情に鑑みてなされたものであり、コロナ放電の発生を抑制可能な融雪リング及び電線取り付け用リングを提供することを目的とする。
【課題を解決するための手段】
【０００５】
上記目的を達成するため、本発明は、電線の外周面との間に断熱層を挟んで嵌合される強磁性体からなるリングを備え、前記断熱層の幅は、前記リングの幅よりも大きいことを特徴とする融雪リングを提供する。
本発明によれば、融雪リングは、電線の外周面との間に断熱層を挟んで嵌合される強磁性体からなるリングを備え、断熱層の幅は、リングの幅よりも大きいため、断熱層及びリングに沿う等電位線の密集を抑制できる。このため、断熱層及びリングの周辺でのコロナ放電の発生を効果的に抑制できる。また、断熱層によって、リングの発熱が電線に奪われることを抑制できるため、リングの発熱によって効果的に融雪できる。
【０００６】
また、上記構成において、前記断熱層の幅は、前記リングの幅の２倍以上である構成としても良い。
この場合、断熱層の幅はリングの幅の２倍以上であるため、断熱層及びリングに沿う等電位線の密集を抑制でき、断熱層及びリングの周辺でのコロナ放電の発生を効果的に抑制できる。
また、前記断熱層は、前記リングの幅方向の側面部を、前記リングの高さの半分以上の高さまで覆う構成としても良い。
この場合、断熱層はリングの幅方向の側面部をリングの高さの半分以上の高さまで覆うため、リングの出っ張り量が小さくなる。このため、リングの周辺の等電位線の密集を抑制でき、コロナ放電の発生を効果的に抑制できる。
【０００７】
また、前記リングは、その内周部が、前記断熱層の外周部に形成された溝に係合して前記断熱層を挟む構成としても良い。
この場合、リングは、その内周部が、断熱層の外周部に形成された溝に係合して断熱層を挟むため、溝に係合する分だけリングの出っ張りを低くできる。このため、リングの周辺の等電位線の密集を抑制でき、コロナ放電の発生を抑制できる。また、リングが断熱層の溝に係合するため、リングと断熱層とを簡単な構成で強固に固定できる。また、リングが溝の深さの分だけ電線に近くなるため、リングを効果的に発熱させることができる。
【０００８】
また、断熱層は、導電材料で構成されても良い。
この場合、断熱層は導電材料で構成されるため、等電位線の密集を抑制でき、コロナ放電の発生を効果的に抑制できる。
また、前記断熱層は樹脂材料で構成され、当該断熱層の外周部側の幅方向の角部は、金属製の前記リングの外周部側の幅方向の角部よりも曲率が小さい曲面状に形成されている構成としても良い。
この場合、樹脂材料で構成される断熱層の外周部側の幅方向の角部は、金属製のリングの外周部側の幅方向の角部よりも曲率が小さい曲面状に形成されており、樹脂材料の断熱層には、リングよりも容易に曲面を形成できる。これにより、断熱層の外周部側の幅方向の角部の曲率を容易に小さくして等電位線の密集を抑制できるため、コロナ放電の発生を抑制できる。
【０００９】
また、本発明は、圧縮加工によりリング形状に成型可能な強磁性体からなるリング部材と、リング形状とされた場合に内側となる面に装着された断熱部材とを有し、前記断熱部材の幅が前記リング部材の幅よりも大きいことを特徴とする電線取り付け用リングを提供する。
本発明によれば、断熱部材の幅は、リング部材の幅よりも大きいため、断熱部材及びリング部材に沿う等電位線の密集を抑制できる。このため、断熱層及びリングの周辺でのコロナ放電の発生を効果的に抑制できる。
【発明の効果】
【００１０】
本発明に係る融雪リングでは、コロナ放電の発生を抑制できる。
【図面の簡単な説明】
【００１１】
【図１】本発明の実施の形態に係る融雪リングを電線に取り付けた状態を示す図である。
【図２】図１のＩＩ−ＩＩ断面図である。
【図３】電線に取り付けられる前の融雪リングを示す正面図である。
【図４】電線に取り付けられる前の融雪リングを示す平面図である。
【図５】図２のＶ−Ｖ断面図である。
【図６】断熱層の幅とコロナ放電の消滅電位傾度との相関を示す図表である。
【図７】リングの高さとコロナ放電の消滅電位傾度との相関を示す図表である。
【発明を実施するための形態】
【００１２】
以下、図面を参照して本発明の一実施の形態について説明する。
図１は、本発明の実施の形態に係る融雪リングを電線に取り付けた状態を示す図である。図２は、図１のＩＩ−ＩＩ断面図である。
融雪リング１０（電線取り付け用リング）は、鉄塔間に架設される電線３０の外周に嵌合されて取り付けられる。融雪リング１０は、電線３０の長手方向に所定間隔をあけて複数配置され、電線３０を流れる電流による交番磁界によって発熱し、融雪リング１０に付着した雪を溶かす。電線３０に付着した雪は、融雪リング１０が取り付けられた箇所で分断されるため、電線３０からの落雪のサイズが小さくなる。
融雪リング１０は、例えば、断面積で１６０〜１５２０（ｍｍ2）程度のサイズの電線に装着される。
【００１３】
電線３０は、鋼線等により構成される心線（不図示）と、この心線の外周に複数のアルミ線をらせん状に撚り合わせて形成される導体部３０ａとを備え、断面略円形に構成される。ここで、図２では、電線３０の内部構造の図示は省略されている。
融雪リング１０は、強磁性体からなるリング１１（リング部材）と、リング１１と電線３０との間に挟んで設けられる一対の断熱層１２，１２（断熱部材）とを備える。
【００１４】
図３は、電線３０に取り付けられる前の融雪リング１０を示す正面図である。図４は、電線３０に取り付けられる前の融雪リング１０を示す平面図である。
図１〜図４を参照し、リング１１は、帯状に形成された金属の板材を曲げ加工等して形成される。リング１１は、例えば、キュリー点が低くかつ高強度な鉄−ニッケル合金で構成されている。
リング１１は、電線３０に取り付けられる前は、開放部Ｗを備えた略Ｃ型のリング状に形成されており、電線３０に取り付けられると、開放部側の両端に形成された係合部１３，１４が互いに係合して閉じた円環状のリングとなる。
リング１１は、電線３０の外形に合わせて円弧状に形成される一対の取付部１５，１５と、係合部１３，１４と、取付部１５，１５間を繋ぐ曲げ部１６とを備える。
【００１５】
係合部１３は、リング１１の開放部Ｗ側の一方の端部において、幅方向の一方側の半部を突出させた突出部である。係合部１３の先端部には、係合部１３を尖らせる斜面部１３ａと、係合部１４側に幅方向に突出する突起部１３ｂとが形成されている。斜面部１３ａは、リング１１の幅方向の外端が先端となるように傾斜している。
係合部１４は、リング１１の他方の端部において、幅方向の他方側の半部を突出させた突出部である。係合部１４の先端部には、係合部１４を尖らせる斜面部１４ａと、係合部１３側に幅方向に突出する突起部１４ｂとが形成されている。斜面部１４ａは、リング１１の幅方向の外端が先端となるように傾斜している。
係合部１３，１４は、リング１１が電線３０に取り付けられた状態では、曲げ部１６に対向する。曲げ部１６は、リング１１を閉じて電線３０に取り付ける際に大きく曲げられる部分である。
【００１６】
断熱層１２，１２は、リング１１の形状に合わせて曲面状に形成された板材であり、リング１１の取付部１５，１５の内周部に取り付けられる。断熱層１２，１２は、導電性を備えた材料で構成され、例えば、カーボンブラックが配合された樹脂材料からなる。断熱層１２，１２は、例えばゴムで構成されても良い。
断熱層１２，１２の幅は、リング１１の幅よりも大きく形成されており、断熱層１２，１２の幅方向の端部１８，１８は、リング１１の幅方向の側面部１９，１９よりも幅方向に突出する。ここで、リング１１及び断熱層１２，１２の幅は、電線３０の軸方向におけるリング１１及び断熱層１２，１２の長さを指す。
断熱層１２，１２は、電線３０の導体部３０ａに密着して取り付けられる内周部１７に、導体部３０ａ側に突出するリブ２０を有する。リブ２０は、格子状に形成されており、リング１１によって断熱層１２，１２が圧縮された状態では潰れる。
【００１７】
融雪リング１０を取り付ける際には、融雪リング１０は、開放部Ｗを介して電線３０の外周部を囲うようにセットされ、リング１１の外周部を押圧する冶具によって圧縮される。圧縮力によって主として曲げ部１６が変形してリング１１が閉じられて行き、係合部１３，１４が係合する。詳細には、係合部１３，１４は、斜面部１３ａ，１４ａが互いに当接することで、リング１１の幅方向に開き、さらに圧縮工程が進むと突起部１３ｂ，１４ｂが係合する。
係合部１３，１４及び曲げ部１６には、断熱層１２，１２は設けられておらず、この部分では、リング１１と電線３０との間には隙間Ｓが形成される。このように、係合部１３，１４及び曲げ部１６に断熱層１２，１２を設けないため、電線３０への取り付けの際に断熱層１２，１２が邪魔にならず、作業性が良い。
【００１８】
図５は、図２のＶ−Ｖ断面図である。
図５に示すように、リング１１は、厚さ方向よりも幅方向に大きい略矩形の断面を備える。リング１１は、外周部側の幅方向の両端に曲面状の角部２１（いわゆるＲ面取部）を備える。
断熱層１２，１２は、厚さ方向よりも幅方向に大きい略矩形の断面を備える。断熱層１２，１２は、外周部側の幅方向の両端に曲面状の角部２２（いわゆるＲ面取部）を備える。角部２２は、角部２１よりも曲率が小さく、緩やかである。
断熱層１２，１２は、射出成型等の樹脂成型によって形成されるため、断熱層１２，１２には、曲率の小さな角部２２を容易に形成できる。一方、リング１１は、金属であり断熱層１２，１２よりも加工が困難であることから、加工量を小さくするために、角部２１の曲率は大きく設定されている。
【００１９】
断熱層１２，１２の外周部には、リング１１の取付部１５，１５の内周部が嵌合する溝２３が形成されている。溝２３は、断熱層１２，１２の幅方向の中央部に形成され、断熱層１２，１２の全長に亘って略同一の深さで形成されている。溝２３は、リング１１の内周部との間に隙間ができないように、リング１１の形状に対応した形状に形成されている。断熱層１２，１２の溝２３に取付部１５，１５が嵌合すると、リング１１の側面部１９，１９の一部は、端部１８，１８によって覆われる。
断熱層１２，１２は、溝２３を介して、例えば、接着剤により、リング１１の内周面に固着される。
【００２０】
電線３０に融雪リング１０を取り付けた場合、融雪リング１０の形状や材質に応じて、融雪リング１０の周辺の等電位線の分布が変化し、電位傾度にも偏りが生じる。特に、エッジの部分では等電位線が密集するため、リング１１及び断熱層１２，１２の角部２１及び角部２２では、電位傾度が高くなる。このため、角部２１及び角部２２では、コロナ放電が発生し易い。
【００２１】
本発明者らは、融雪リング１０の形状が、コロナ放電の消滅に与える影響を検討し、コロナ放電の発生を効果的に抑制できる融雪リング１０の形状について知見を得た。
図６は、断熱層１２，１２の幅とコロナ放電の消滅電位傾度との相関の一例を示す図表であり、図７は、リング１１の高さとコロナ放電の消滅電位傾度との相関の一例を示す図表である。これら図６及び図７は、本発明者らが行った試験の結果を示している。
【００２２】
図６及び図７に示す試験では、融雪リング１０の形状を変化させ、コロナ放電の発生しにくさを評価した。コロナ放電の発生のし難さの評価は、電線３０に電圧を印加してコロナ放電を発生させ、電線３０の印加電圧を順次低下させる過程でコロナ放電が消滅し視認されなくなった状態の電線表面最大電位傾度を測定して行った。ここで、コロナ放電が消滅して視認されなくなった際の電位傾度を可視コロナの消滅電位傾度（ｋＶ／ｃｍ）と呼ぶ。すなわち、可視コロナの消滅電位傾度が高いほど、より高い電位傾度においてもコロナ放電を消滅させる（発生させない）ことができ、コロナ放電の発生を抑制する効果が高いということができる。
【００２３】
本発明者らは、融雪リング１０におけるリング１１の幅と断熱層１２，１２の幅との関係を変化させた場合の可視コロナの消滅電位傾度について検討した。図６の図表は、横軸にリング幅の比を、縦軸に可視コロナの消滅電位傾度を示している。ここで、リング幅の比は、リング１１の幅Ｘと、断熱層１２，１２の幅ｘとの比であり、ｘ／Ｘで算出される。図６の実験では、リング１１の幅Ｘは１０（ｍｍ）で一定とし、断熱層１２，１２の幅ｘを変化させた。また、このときのリング１１の高さＹは４（ｍｍ）とし、溝２３の深さｙは１（ｍｍ）とした。リング高さの比ｙ／Ｙは０．２５であった。すなわち、リング１１が断熱層１２，１２から出っ張る高さは３（ｍｍ）であった。
【００２４】
また、本発明者らは、融雪リング１０におけるリング１１の高さと溝２３に嵌入する分の高さとの関係を変化させた場合の可視コロナの消滅電位傾度について検討した。図７の図表は、横軸にリング高さの比を示し、縦軸に可視コロナの消滅電位傾度を示している。ここで、リング高さの比は、リング１１の高さ（厚さ）Ｙと、断熱層１２，１２の溝２３の深さｙとの比であり、ｙ／Ｙで算出される。深さｙは、断熱層１２が側面部１９，１９を覆う高さであるということもできる。また、高さＹは６（ｍｍ）で一定とし、深さｙを変化させた。
この図７の実験において、リング１１の幅Ｘは１２（ｍｍ）とし、断熱層１２，１２の幅ｘは２０（ｍｍ）とした。リング幅の比ｘ／Ｘは１．６７であった。
【００２５】
図６に示すように、リング幅の比を１〜５まで段階的に変化させた場合、リング幅の比が大きくなるほど、すなわち、断熱層１２，１２の幅ｘが大きくなるほど、消滅電位傾度は増加した。リング幅の比が１である場合、リング１１の角部２１の高さは、電線３０の外表面からの高さとなり、融雪リング１０の表面に沿う等電位線には大きな歪曲が生じる。これにより、等電位線が密集し、リング幅の比が１では、消滅電位傾度は１５（ｋＶ／ｃｍ）以下となった。
【００２６】
リング幅の比が１を超える場合、リング１１の角部２１と電線３０の外表面との間には端部１８，１８が存在し、等電位線の歪曲は、断熱層１２，１２の角部２２及びリング１１の角部２１に沿って緩やかになる。このため、消滅電位傾度は増加する。従って、リング幅の比が１を超えること、すなわち、断熱層１２，１２の幅が、リング１１の幅よりも大きいことが好ましいということができる。
【００２７】
さらに、リング幅の比が２以上である場合、１７（ｋＶ／ｃｍ）以上の消滅電位傾度が得られた。これは、角部２１と角部２２との間隔が十分に大きくなって等電位線の歪曲がより緩やかとなったためであると考えることができる。
一般に、消滅電位傾度が１７（ｋＶ／ｃｍ）以上であれば、コロナ放電が発生し難いと言うことができる。従って、リング幅の比を２以上にすることで、１７（ｋＶ／ｃｍ）以上の消滅電位傾度が得られ、コロナ放電の発生を効果的に抑制でき、より好ましいと言える。
【００２８】
図７に示すように、リング高さの比を０．２５〜１まで段階的に変化させた場合、リング高さの比が大きくなるほど、すなわち、溝２３の深さｙが大きくなるほど、消滅電位傾度は増加した。リング高さの比が０．２５である場合、断熱層１２，１２の外周部からのリング１１の角部２１の高さは大きく、融雪リング１０の表面に沿う等電位線には大きな歪曲が生じる。これにより、等電位線が密集し、リング高さの比が０．２５では、消滅電位傾度は１５．５（ｋＶ／ｃｍ）となった。
【００２９】
そして、リング高さの比が０．５以上の場合、すなわち、リング１１の側面部１９，１９が断熱層１２，１２の端部１８，１８によって高さ方向に半分以上覆われる場合には、１７（ｋＶ／ｃｍ）以上の消滅電位傾度が得られた。これは、断熱層１２，１２の外周部からのリング１１の角部２１の高さは十分に小さくなるため、角部２２及び角部２１に沿う等電位線の歪曲は小さくなり、等電位線の密集が抑制されたことの効果であると考えることができる。従って、リング高さの比を０．５以上にすることで、１７（ｋＶ／ｃｍ）以上の消滅電位傾度が得られ、コロナ放電の発生を効果的に抑制でき、好ましいといえる。
【００３０】
融雪リング１０においては、電線３０の交番磁界による十分な発熱量を確保するため、リング１１の高さ（厚さ）Ｙは一例として４（ｍｍ）程度確保することが望ましい。しかし、リング１１の高さを高くすると、等電位線の歪曲によってコロナ放電が発生し易くなる。本実施の形態では、断熱層１２，１２に溝２３を設け、溝２３にリング１１を嵌め込むため、リング１１の高さを例えば４（ｍｍ）とした場合であっても、角部２１の突出高さを低くできる。このため、十分な発熱量を確保できるとともに、コロナ放電の発生も効果的に抑制できる。また、溝２３の深さｙの分だけリング１１が電線３０に近くなるため、より強い交番磁界によってリング１１を効率良く発熱させることができる。
【００３１】
また、断熱層１２，１２は、導電性を備えた材料で構成されるため、等電位線の偏りを抑制でき、コロナ放電の発生を抑制できる。ここで、断熱層１２，１２の抵抗率としては、十分な断熱性を確保できることを条件として、体積抵抗率１０6（Ω・cｍ）以下の範囲が、等電位線の均一化及び断熱層１２，１２の耐久性の観点から好ましい。
また、リング１１の角部２１及び断熱層１２，１２の角部２２は曲面状に形成されるため、角部２１及び角部２２に沿う等電位線を緩やかにできる。このため、コロナ放電の発生を抑制できる。
【００３２】
さらに、断熱層１２，１２の内周部１７にリブ２０を設け、融雪リング１０を電線３０に装着した際にはリブ２０が潰れるようにしたため、リブ２０の変形によって、各部の寸法誤差を吸収できる。このため、融雪リング１０を電線３０に強固に固定できるとともに、断熱層１２，１２と電線３０との間の隙間の発生を防止して、コロナ放電の発生を抑制できる。
本発明の適用に好適なリング１１のサイズは、幅７〜１５（ｍｍ）、高さ（厚み）３〜６（ｍｍ）である。
【００３３】
以上説明したように、本発明を適用した実施の形態によれば、融雪リング１０は、電線３０の外周面との間に断熱層１２，１２を挟んで嵌合される強磁性体からなるリング１１を備え、断熱層１２，１２の幅は、リング１１の幅よりも大きいため、断熱層１２，１２及びリング１１に沿う等電位線の密集を抑制できる。このため、断熱層１２，１２及びリング１１の周辺でのコロナ放電の発生を効果的に抑制できる。また、断熱層１２，１２によって、リング１１の発熱が電線３０に奪われることを抑制できるため、リング１１の発熱によって効果的に融雪できる。
【００３４】
また、断熱層１２，１２の幅はリング１１の幅の２倍以上であるため、断熱層１２，１２及びリング１１に沿う等電位線の密集を抑制でき、断熱層１２，１２及びリング１１の周辺でのコロナ放電の発生を効果的に抑制できる。
また、断熱層１２，１２は、リング１１の幅方向の側面部１９，１９をリング１１の高さの半分以上の高さまで覆うため、リング１１の出っ張り量が小さくなる。このため、リング１１の周辺の等電位線の密集を抑制でき、コロナ放電の発生を効果的に抑制できる。
【００３５】
また、リング１１は、その内周部が、断熱層１２，１２の外周部に形成された溝２３に係合して断熱層１２，１２を挟むため、溝２３に係合する分だけリング１１の出っ張りを低くできる。このため、リング１１の周辺の等電位線の密集を抑制でき、コロナ放電の発生を抑制できる。また、リング１１が断熱層１２，１２の溝２３に係合するため、リング１１と断熱層１２，１２とを簡単な構成で強固に固定できる。また、リング１１が溝２３の深さの分だけ電線３０に近くなるため、リング１１を効果的に発熱させることができる。
【００３６】
また、断熱層１２，１２は導電材料で構成されるため、等電位線の密集を抑制でき、コロナ放電の発生を効果的に抑制できる。
また、樹脂材料で構成される断熱層１２，１２の外周部側の幅方向の角部２２は、金属製のリング１１の外周部側の幅方向の角部２１よりも曲率が小さい曲面状に形成されており、樹脂材料の断熱層１２，１２には、リング１１よりも容易に曲面を形成できる。これにより、断熱層１２，１２の角部２２の曲率を容易に小さくして等電位線の密集を抑制できるため、コロナ放電の発生を抑制できる。
【００３７】
なお、上記実施の形態は本発明を適用した一態様を示すものであって、本発明は上記実施の形態に限定されるものではない。
上記実施の形態では、断熱層１２，１２は、リング１１と電線３０との間に挟んで一対設けられるものとして説明したが、本発明はこれに限定されるものではない。例えば、断熱層をリング状に形成し、この第２のリングをリング１１と電線３０との間に挟んでも良い。
また、上記実施の形態では、リング１１と電線３０との間に、リング１１よりも幅が大きい断熱層１２，１２が挟まれるものとして説明したが、一体の断熱層１２でなく、幅方向に分割された断熱層によってもコロナ放電の発生を抑制できる。例えば、断熱層１２に隣接させて、断熱層１２と略同一の厚みのリング状の断熱層を電線３０に装着することができる。この構成では、コロナ放電の発生の抑制に関しては、断熱層１２の幅を大きくした場合と同様の効果を得られる。
【符号の説明】
【００３８】
１０  融雪リング（電線取り付け用リング）
１１  リング（リング部材）
１２，１２  断熱層（断熱部材）
１９，１９  側面部
２１  角部
２２  角部
２３  溝
３０  電線
Ｘ  幅（リングの幅）
ｘ  幅（断熱層の幅）
Ｙ  高さ（リングの高さ）
【図１】
2015008616.tif 000003
【図２】
2015008616.tif 000004
【図３】
2015008616.tif 000005
【図４】
2015008616.tif 000006
【図５】
2015008616.tif 000007
【図６】
2015008616.tif 000008
【図７】
2015008616.tif 000009